【手続補正書】
【提出日】令和3年2月12日(2021.2.12)
【手続補正１】
【補正対象書類名】明細書
【補正対象項目名】発明の名称
【補正方法】変更
【補正の内容】
【発明の名称】電子機器、発音学習方法、サーバ装置、発音学習処理システムおよびプログラム
【手続補正２】
【補正対象書類名】明細書
【補正対象項目名】０００１
【補正方法】変更
【補正の内容】
【０００１】
本発明は、単語の発音を学習するための電子機器、発音学習方法、サーバ装置、発音学習処理システムおよびプログラムに関する。
【手続補正３】
【補正対象書類名】明細書
【補正対象項目名】０００６
【補正方法】変更
【補正の内容】
【０００６】
本発明は、このような課題に鑑みてなされたもので、複数の単語間で、ユーザが苦手な発音の形態を特定することが可能になる電子機器、発音学習方法、サーバ装置、発音学習処理システムおよびプログラムを提供することを目的とする。
【手続補正４】
【補正対象書類名】明細書
【補正対象項目名】０００７
【補正方法】変更
【補正の内容】
【０００７】
本発明に係る電子機器は、プロセッサを備え、前記プロセッサは、ユーザによる複数の単語の発音を、各単語内で連続する複数の発音要素の組み合わせ毎に評価し、前記評価の結果に基づいて学習情報を出力する、発音学習処理を実行する、ように構成されている。
【手続補正５】
【補正対象書類名】特許請求の範囲
【補正対象項目名】全文
【補正方法】変更
【補正の内容】
【特許請求の範囲】
【請求項１】
プロセッサを備え、
前記プロセッサは、
ユーザによる複数の単語の発音を、各単語内で連続する複数の発音要素の組み合わせ毎に評価し、
前記評価の結果に基づいて学習情報を出力する、発音学習処理を実行する、
ように構成されている電子機器。
【請求項２】
前記プロセッサは、
ユーザによる前記複数の単語それぞれの発音の評価結果を、各単語内で連続する複数の発音要素の組み合わせ毎に集計し、
前記集計の結果に基づいて学習情報を出力する、
ように構成されている請求項１に記載の電子機器。
【請求項３】
前記プロセッサは、
前記複数の単語を対象とした発音テストによる各単語の発音の評価スコアを取得し、
前記複数の発音要素の組み合わせ毎に、各発音要素の組み合わせを含む単語の前記評価スコアを集計し、
前記集計の結果に基づいて学習情報を出力する、
ように構成されている請求項２記載の電子機器。
【請求項４】
前記プロセッサは、
前記複数の発音要素の組み合わせのうち、前記集計された評価スコアが他の発音要素の組み合わせよりも低い発音要素の組み合わせを特定し、
前記特定された発音要素の組み合わせに係る前記学習情報を出力する、
ように構成されている請求項３に記載の電子機器。
【請求項５】
前記プロセッサは、
前記特定された発音要素の組み合わせを含む単語の発音に係るアドバイス情報を出力する、
ように構成されている請求項４に記載の電子機器。
【請求項６】
前記プロセッサは、
前記特定された発音要素の組み合わせを含む単語を、発音学習の対象となる単語として出力する、
ように構成されている請求項４または請求項５に記載の電子機器。
【請求項７】
前記プロセッサは、
ユーザに第１発音要素を指定させ、
前記ユーザが指定した前記第１発音要素を含む複数の単語で発音テストを実施し、
前記発音テストによる各単語の発音の評価スコアを、単語内の前記第１発音要素と、前記単語内で前記第１発音要素の後または前に連続して発音される第２発音要素との組み合わせ毎に集計する、
ように構成されている請求項３に記載の電子機器。
【請求項８】
前記プロセッサは、
前記ユーザが前記第１発音要素と前記第２発音要素のそれぞれを指定したか否かを判定し、
前記判定の結果に応じて、前記発音テストの対象となる複数の単語の選択、前記評価スコアの集計、前記学習情報の出力、のうち少なくとも１つを制御する、
ように構成されている請求項７に記載の電子機器。
【請求項９】
前記プロセッサは、
前記発音テストによる各単語の発音の評価スコアを、単語内の前記第１発音要素と、前記単語内で前記第１発音要素の後または前または前後に連続して発音される第２発音要素との組み合わせ毎に集計する、
ように構成されている請求項７または請求項８に記載の電子機器。
【請求項１０】
前記プロセッサは、
テスト用単語の候補を取得し、
前記ユーザが、前記第１発音要素と前記第２発音要素のうち、いずれの発音要素も指定しない第１モードと、前記第１発音要素のみを指定する第２モードと、前記第１発音要素と前記第２発音要素の両方を指定する第３モード、のいずれのモードであるかを判定し、
前記第１モードにおいては、取得された全てのテスト用単語を対象として発音テストを実施し、
前記第２モードにおいては、取得された全てのテスト用単語のうちの前記第１発音要素に基づいて絞り込まれたテスト用単語を対象として発音テストを実施し、
前記第１モードにおいては、取得された全てのテスト用単語のうちの前記第１発音要素および前記第２発音要素に基づいて絞り込まれたテスト用単語を対象として発音テストを実施する、
ように構成されている請求項７乃至請求項９のいずれか一項に記載の電子機器。
【請求項１１】
前記プロセッサは、
前記第１モードにおいては、前記第１発音要素と前記第２発音要素との組み合わせのうち、集計される前記評価スコアが最も低い組み合わせに対応する前記第１発音要素に係る第１アドバイス情報と、集計される前記評価スコアが最も低い組み合わせに対応する前記第１発音要素と前記第２発音要素との組み合わせに係る第２アドバイス情報を提示する、
ように構成されている請求項１０に記載の電子機器。
【請求項１２】
前記プロセッサは、
前記第２モードにおいては、前記第１アドバイス情報を提示せずに、前記第２アドバイス情報を提示する、
ように構成されている請求項１１に記載の電子機器。
【請求項１３】
前記プロセッサは、
前記第３モードにおいては、前記第１発音要素と前記第２発音要素との組み合わせに対応する前記評価スコアが所定以下であるか否かを判定し、所定以下であると判定された場合に、前記第１発音要素と前記第２発音要素とを含む単語を学習対象として選択する、
ように構成されている請求項１１に記載の電子機器。
【請求項１４】
前記プロセッサは、
学習対象として選択された単語の発音学習を実施する、ように構成されている請求項１１に記載の電子機器。
【請求項１５】
前記プロセッサは、
取得または絞り込まれたテスト用単語の数が決められた上限を超える場合には、所定数のテスト用単語をランダムに選択して発音テストを実施する、
ように構成されている請求項１１に記載の電子機器。
【請求項１６】
前記プロセッサは、
テスト用単語の候補を取得し、
取得したテスト用単語の数が決められた上限を超える場合には、所定数のテスト用単語をランダムに選択して発音テストを実施する、
ように構成されている請求項７乃至請求項１５のいずれか一項に記載の電子機器。
【請求項１７】
電子機器のプロセッサにより、
ユーザによる複数の単語の発音を、各単語内で連続する複数の発音要素の組み合わせ毎に評価し、
前記評価の結果に基づいて学習情報を出力する、発音学習処理を実行する、
ようにした発音学習方法。
【請求項１８】
電子機器のプロセッサを、
ユーザによる複数の単語の発音を、各単語内で連続する複数の発音要素の組み合わせ毎に評価し、
前記評価の結果に基づいて学習情報を出力する、発音学習処理を実行する、
ように機能させるためのプログラム。
【請求項１９】
プロセッサを備え、
前記プロセッサは、
外部の電子機器において実施された発音テストの対象となる複数の単語と各単語の発音の評価スコアとを受信し、
前記受信した各単語の発音の評価スコアを、各単語内で連続する複数の発音要素の組み合わせ毎に集計し、
前記集計の結果に基づいて決められた学習情報を前記外部の電子機器に送信する、発音学習処理を実行する、
ように構成されているサーバ装置。
【請求項２０】
サーバ装置と端末装置とを含む発音学習処理システムであって、
ユーザによる複数の単語の発音を、各単語内で連続する複数の発音要素の組み合わせ毎に評価し、
前記評価の結果に基づいて学習情報を出力する、発音学習処理を実行する、
ように構成されている発音学習処理システム。